(57)【要約】【課題】スペースの有効活用を実現する。【解決手段】実施形態の監視制御装置は、監視対象に関する情報を、当該監視対象を遠隔監視する監視センターに、移動体通信網の基地局を介して送信する監視制御装置において、第１の通信部と、通信モジュールと、第２の通信部と、を備える。第１の通信部は、移動体通信網を介して通信を行う携帯通信端末と接続するためのアンテナを有する。通信モジュールは、監視対象に関する情報を監視センター宛てに出力する。第２の通信部は、通信モジュールから出力された情報と、第１の通信部が携帯通信端末から受信した情報と、を重畳した信号を基地局に送信する。【選択図】図１
2018113502.tif 000002
【特許請求の範囲】
【請求項１】
監視対象に関する情報を、当該監視対象を遠隔監視する監視センターに、移動体通信網の基地局を介して送信する監視制御装置において、
前記移動体通信網を介して通信を行う携帯通信端末と接続するためのアンテナを有する第１の通信部と、
前記監視対象に関する情報を前記監視センター宛てに出力する通信モジュールと、
前記通信モジュールから出力された前記情報と、前記第１の通信部が前記携帯通信端末から受信した情報と、を重畳した信号を前記基地局に送信する第２の通信部と、
を備える監視制御装置。
【請求項２】
前記第２の通信部は、さらに、前記基地局から受信した信号を、前記第１の通信部と、前記通信モジュールと、に分ける分配器として機能する、
請求項１に記載の監視制御装置。
【請求項３】
前記通信モジュールから出力された前記情報を、前記携帯通信端末から受信した前記情報より優先して、前記基地局に送信するよう制御する制御部を、
さらに備える請求項１又は２に記載の監視制御装置。
【請求項４】
前記制御部は、さらに、前記第１の通信部と接続された接続線を介して、前記第１の通信部の通信状態を受信し、当該通信状態に応じて、前記第１の通信部を閉塞させることで、前記通信モジュールから出力された前記情報を、前記携帯通信端末から受信した前記情報より優先して、前記基地局に送信するよう制御する、
請求項３に記載の監視制御装置。
【請求項５】
前記制御部は、さらに、前記第１の通信部と接続された接続線を介して、前記第１の通信部の通信状態を受信し、当該通信状態に応じて、前記第１の通信部から携帯通信端末への通信容量を制限することで、前記通信モジュールから出力された前記情報を、前記携帯通信端末から受信した前記情報より優先して、前記基地局に送信するよう制御する、
請求項３に記載の監視制御装置。
【請求項６】
前記制御部は、前記通信モジュールに対して、前記携帯通信端末と比べて、優先的に無線リソースの割り当てる、
請求項３に記載の監視制御装置。
【請求項７】
監視対象の情報を、当該監視対象を遠隔監視する監視センターに、移動体通信網の基地局を介して送信する監視制御システムにおいて、
前記移動体通信網を介して通信を行う携帯通信端末と接続するためのアンテナを有する第１の通信部と、
前記監視対象に関する情報を前記監視センター宛てに出力する通信モジュールと、
前記通信モジュールから出力された前記情報と、前記第１の通信部が前記携帯通信端末から受信した情報と、を重畳した信号を前記基地局に送信する第２の通信部と、
を備える監視制御システム。
【発明の詳細な説明】
【技術分野】
【０００１】
本発明の実施形態は、監視制御装置、及び監視制御システムに関する。
【背景技術】
【０００２】
従来、エレベータやエスカレータの遠隔監視システムとしては、監視対象の情報を取り込む監視装置と、監視装置から送信される情報に基づいて、複数のエレベータやエスカレータを集中的に監視する監視センターで構成されている。
【０００３】
監視装置と遠隔監視センターとの間の通信手段としては、例えば、ＰＨＳ（Personal  Handy-Phone  System）のような移動体通信網を用いる場合がある。このような場合、監視装置は、移動体通信網への接続手段を備えているが、当該接続手段を用いるのは、エレベータの監視情報の送信や緊急時の通話であり、それ以外にはあまり使用されていないという状況である。
【先行技術文献】
【特許文献】
【０００４】
【特許文献１】特開２００２−０２００４９号公報
【発明の概要】
【発明が解決しようとする課題】
【０００５】
一方、従来技術においては、移動体通信事業者が、屋内のエリア対策として、屋外基地局から屋内エリアに対して電波を放射して対策する方法があるが、大中規模ビルや地下街などでは電波が浸透しにくい状況である。そのため、大中規模ビルや地下街などは、一般的に光レピータなどの中継装置を設けることで、エリア対策を行うことが多い。
【０００６】
このような中継装置を、大中規模ビルや地下街に設置する際、機械室や天井裏等に設置されることが多い。しかしながら、設置スペースの制限があったり、施工費が高いため、中継装置等の移動体通信網に接続する手段を、どのように設けるかという問題が生じていた。
【課題を解決するための手段】
【０００７】
実施形態の監視制御装置は、監視対象に関する情報を、当該監視対象を遠隔監視する監視センターに、移動体通信網の基地局を介して送信する監視制御装置において、第１の通信部と、通信モジュールと、第２の通信部と、を備える。第１の通信部は、移動体通信網を介して通信を行う携帯通信端末と接続するためのアンテナを有する。通信モジュールは、監視対象に関する情報を監視センター宛てに出力する。第２の通信部は、通信モジュールから出力された情報と、第１の通信部が携帯通信端末から受信した情報と、を重畳した信号を基地局に送信する。
【図面の簡単な説明】
【０００８】
【図１】図１は、第１の実施形態の通信システムの一例を示す模式図である。
【図２】図２は、第２の実施形態の通信システムの一例を示す模式図である。
【図３】図３は、第３の実施形態の通信システムの一例を示す模式図である。
【図４】図４は、第４の実施形態の通信システムの一例を示す模式図である。
【発明を実施するための形態】
【０００９】
以下に添付図面を参照して、監視制御装置、及び監視制御システムを詳細に説明する。なお、以下に示す実施形態は、監視制御装置、及び監視制御システムの一例を示したものとする。
【００１０】
（第１の実施形態）
図１は、第１の実施形態の通信システムの一例を示す模式図である。図１に示されるように、本実施形態の通信システムは、制御装置５０と、エレベータかご６０と、監視制御装置１００と、が、ビルなどの建築物や、地下街等に設けられている。さらに、当該通信システムは、第１の基地局１５０と、第２の基地局１５１と、監視センター１６０と、が移動体通信網１８０を介して接続されている。
【００１１】
移動体通信網１８０としては、例えばＬＴＥ(Long  Term  Evolution)やＷｉＭＡＸ（Worldwide  Interoperability  for  Microwave  Access）による通信ネットワークを用いることが考えられるが、ＰＨＳ（Personal  Handy-Phone  System）を用いても良い。
【００１２】
制御装置５０は、エレベータかご６０を含めたエレベータの運行制御を行う。さらに制御装置５０は、エレベータに設けられた各種センサーから、エレベータの様々な運行状況を取得する。さらに、制御装置５０は、エレベータの運転時の異常や故障などを含めた運行状況に関する情報を、監視制御装置１００に送信する。
【００１３】
例えば、制御装置５０は、エレベータかご６０の故障や、緊急時のインターフォン呼び出しの際に、運行状況に関する情報を、監視制御装置１００の通信Ｉ／Ｆ１０１に発信する。さらに、制御装置５０は、監視センター１６０からの要求に応じて、保守に関する情報を、監視制御装置１００に送信する。
【００１４】
第１の基地局１５０、及び第２の基地局１５１は、移動体通信網１８０を介して、ユーザ携帯通信端末や監視制御装置などの無線通信装置を、移動体通信網１８０に接続するための無線基地局とする。
【００１５】
監視制御装置１００は、監視対象（例えば、エレベータやエスカレータなどの昇降機）と、当該監視対象を遠隔監視する監視センター１６０と、の間を移動体通信網１８０で接続するための制御装置とする。本実施形態の監視制御装置１００は、監視対象と監視センター１６０との間の通信路を確保しつつ、監視対象に関する情報（例えば運行状況に関する情報や、保守に関する情報）を、監視センター１６０に、移動体通信網１８０の第１の基地局１５０を介して送信する。
【００１６】
本実施形態においては、監視制御装置１００が、ユーザ携帯通信端末（例えば携帯電話、スマートフォン、及びタブレット端末）を通信するためのアンテナ１１２を備えることとした。本実施形態は、監視制御装置１００がアンテナ１１２を備えたことで、ユーザ携帯通信端末（例えば携帯電話、スマートフォン、及びタブレット端末）の通信エリア拡大を実現する。
【００１７】
これにより、監視制御装置１００は、アンテナ１１２を介して受信した、ユーザ携帯通信端末１９１、１９２（例えば携帯電話、スマートフォン、及びタブレット端末）からの無線信号を、第１の基地局１５０を介して移動体通信網１８０に中継伝達する。これにより、ユーザ携帯通信端末１９１、１９２と、ユーザ携帯通信端末１９３と、の間の通信が実現可能となる。
【００１８】
監視センター１６０は、広域にわたってエレベータやエスカレータ等の昇降機の運行状況を監視し、異常時に昇降機が設置されている現場に保守員を派遣する等の保守サービスを行う。
【００１９】
例えば、監視センター１６０は、移動体通信網１８０を介して、監視制御装置１００から、監視対象（例えば、エレベータかご６０を含めたエレベータ）に関する情報（例えば運行状況に関する情報や、保守に関する情報）を受信し、エレベータの遠隔監視を行う。
【００２０】
監視制御装置１００は、通信Ｉ／Ｆ１０１と、端末モジュール１０２と、無線中継通信部１０３と、分配器１０４と、を備え、エレベータの運行に関する各種情報を取り込むと共に、当該各種情報を、監視センター１６０に送信するための制御を行う。
【００２１】
通信Ｉ／Ｆ１０１は、制御装置５０と端末モジュール１０２の間を接続するためのインターフェースであって、エレベータに関する情報の送受信制御を行う。接続手法としては、どのような手法を用いても良いが、例えば、アナログ電話回線、デジタル電話回線（ＩＳＤＮ）、ＩＰ等で接続されるものとする。
【００２２】
端末モジュール１０２は、通信Ｉ／Ｆ１０１から受け取った、エレベータに関する情報を、分配器１０４を介して、第１の基地局１５０に送信する制御を行う。これにより、エレベータに関する情報が、第１の基地局１５０から移動体通信網１８０を介して監視センター１６０に送信される。
【００２３】
無線中継通信部１０３は、制御部１１１を備え、移動体通信網１８０を介して通信を行う携帯通信端末と接続するためのアンテナ１１２を有する。本実施形態の無線中継通信部１０３は、ユーザ携帯通信端末向けの通信を行うための構成であって、アンテナ１１２からの電波を所定のエリアに発信する。これにより、所定のエリア内のユーザ携帯通信端末１９１、１９２は、当該電波を受信することで、第１の基地局１５０を介して、移動体通信網１８０に接続できる。
【００２４】
本実施形態の無線中継通信部１０３は、第１の基地局１５０から、分配器１０４を介して受信したダウンリンク信号の電力増幅し、ユーザ携帯通信端末１９１、１９２に送信すると共に、ユーザ携帯通信端末１９１、１９２から受信したアップリンク信号の電力増幅し、分配器１０４に出力する、非再生中継方式を適用した無線中継装置として機能する。なお、無線中継通信部１０３が、分配器１０４を介して、第１の基地局１５０と通信するための無線方式は、端末モジュール１０２と同様の無線方式を用いるものとする。
【００２５】
また、本実施形態の無線中継通信部１０３は、端末モジュール１０２と通信を行うための接続線１１３を備えている。本実施形態の無線中継通信部１０３は、端末モジュール１０２からの通信状態を定期的に取得する。
【００２６】
制御部１１１は、図示しないプロセッサ等で構成され、無線中継通信部１０３が取得した端末モジュール１０２の通信状態に基づいて、制御装置５０から受信した情報を、ユーザ携帯通信端末１９１、１９２から受信した情報より優先して、第１の基地局１５０に送信するよう制御する。
【００２７】
本実施形態の制御部１１１は、端末モジュール１０２の通信状態が、所定の条件を満たした場合に、無線中継通信部１０３を閉塞する制御を行う。これにより、制御装置５０から受信した情報を、ユーザ携帯通信端末１９１、１９２から受信した情報より優先させることができる。所定の条件は、どのような条件でも良いが、例えば、制御装置５０から取得した、監視対象に関する情報が所定の通信量より大きくなる場合や、制御装置５０から取得した情報の優先度が高く、緊急発信を行う必要がある場合などが考えられる。
【００２８】
分配器１０４は、アンテナ１１４を介して、第１の基地局１５０から受信した信号を、端末モジュール１０２及び無線中継通信部１０３の２つに分けて出力する。
【００２９】
端末モジュール１０２は、入力された信号を復調（無線信号に含まれている制御信号を参照し、端末モジュール１０２が宛先となっている情報を抽出し、必要に応じて、抽出）し、制御装置５０に送信する。
【００３０】
また、端末モジュール１０２は、通信Ｉ／Ｆ１０１を介して受信した情報から、監視センター１６０宛てのエレベータに関する情報を変調し、変調した情報を、分配器１０４に出力する制御を行う。
【００３１】
一方、無線中継通信部１０３は、入力された信号の電力増幅し、電力増幅した信号をユーザ携帯通信端末１９１、１９２に送信する。ユーザ携帯通信端末１９１、１９２は、受信した信号を復調し、自装置が宛先となっているデータを抽出する。また、無線中継通信部１０３は、アンテナ１１２を介してユーザ携帯通信端末１９１、１９２から受信した情報の信号の電力増幅し、電力増幅した情報を分配器１０４に送信する。
【００３２】
さらに、分配器１０４は、端末モジュール１０２から出力された情報と、無線中継通信部１０３がユーザ携帯通信端末１９１、１９２から受信した情報と、を重畳し、重畳した信号を、アンテナ１１４から、第１の基地局１５０に送信する。本実施形態の分配器１０４は、基地局向けの通信を行うための構成とする。なお、端末モジュール１０２、ユーザ携帯通信端末１９１、１９２が情報を送信するタイミング（スロット）は、第１の基地局１５０で調整されるものとして、説明を省略する。
【００３３】
そして、第１の基地局１５０は、受信した信号を復調し、宛先に応じて信号を、移動体通信網１８０を介して、監視センター１６０や、他の基地局（例えば、第２の基地局１５１）を介して他のユーザ携帯通信端末（例えばユーザ携帯通信端末１９３）に送信する。
【００３４】
本実施形態においては、監視対象の情報を第１の基地局に送信するための監視制御装置１００が、無線中継通信部１０３を備えることで、エレベータの情報を送信するだけなく、アンテナ１１２から受信したユーザ携帯通信端末１９１、１９２からの情報を、第１の基地局１５０に送信することが可能となる。
【００３５】
つまり、本実施形態は、監視制御装置１００を、エリア対策用の装置として共有できるので、スペースの有効活用や施工費の削減を図ることができる。
【００３６】
本実施形態は、監視制御装置１００がエレベータを監視する例について説明するが、監視対象をエレベータに制限するものではなく、監視対象となる機器であればよく、例えば、エスカレータなどの昇降機や空調、照明などが含まれる。
【００３７】
（第１の実施形態の変形例）
第１の実施形態は、無線中継通信部１０３に、非再生中継方式を適用した場合について説明した。しかしながら、無線中継通信部１０３に非再生中継方式を適用することに制限するものではなく、再生中継方式を適用しても良い。そこで、第１の実施形態の変形例では、無線中継通信部１０３に再生中継方式を適用した例について説明する。
【００３８】
無線中継通信部１０３は、分配器１０４から入力された信号について復調を行い、誤り訂正を行った後、さらに変調した信号をユーザ携帯通信端末１９１、１９２に送信する。
【００３９】
本変形例においては、制御装置５０から受信した情報を、ユーザ携帯通信端末１９１、１９２から受信した情報より優先して、第１の基地局１５０に送信するために、制御部１１１は、無線中継通信部１０３が取得した端末モジュール１０２の通信状態に基づいて、アンテナ１１２を介して接続されたユーザ携帯通信端末（例えば、ユーザ携帯通信端末１９１、１９２）の通信容量を制限することで、端末モジュール１０２からの通信を優先させる。
【００４０】
（第２の実施形態）
第１の実施形態は、通信Ｉ／Ｆ１０１と、端末モジュール１０２と、無線中継通信部１０３と、分配器１０４と、を一つの装置に格納する例について説明した。しかしながら、これらの構成を一つの装置に格納することに制限するものではない。そこで、第２の実施形態においては、複数の装置で、監視制御システムを構成する例について説明する。
【００４１】
図２は、第２の実施形態の通信システムの一例を示す模式図である。図２に示されるように、本実施形態の通信システムは、監視制御装置２０２と、無線中継装置２０３と、分配器２０１と、を備えた監視制御システム２００を備えた例とする。なお、第１の実施形態及び第１の実施形態の変形例と同様の構成については、同一の符号を割り当て、説明を省略する。
【００４２】
監視制御装置２０２は、通信Ｉ／Ｆ１０１と、端末モジュール１０２と、を備え、監視対象（例えば、エレベータやエスカレータなどの昇降機）と、当該監視対象を遠隔監視する監視センターと、の間を移動体通信網１８０で接続する。
【００４３】
無線中継装置２０３は、制御部１１１を備え、移動体通信網１８０を介して通信を行う携帯通信端末と接続するためのアンテナ１１２を有する。無線中継装置２０３は、ユーザ携帯通信端末向けの通信を行うための構成とする。また、本実施形態の無線中継装置２０３は、端末モジュール１０２と通信を行うための接続線を備えている。本実施形態の無線中継装置２０３は、端末モジュール１０２からの通信状態を定期的に取得する。
【００４４】
制御部１１１は、無線中継装置２０３が端末モジュール１０２から受信した、端末モジュール１０２の通信状態に基づいて、制御装置５０から受信した情報を、ユーザ携帯通信端末１９１、１９２から受信した情報より優先して、第１の基地局１５０に送信するよう制御する。なお、制御手法は、第１の実施形態や、第１の実施形態の変形例と同様として、説明を省略する。
【００４５】
分配器２０１は、アンテナ１１４を介して、第１の基地局１５０から受信した信号を、端末モジュール１０２及び無線中継装置２０３の２つに分けて出力する。また、分配器１０４は、端末モジュール１０２から出力された信号と、無線中継装置２０３がユーザ携帯通信端末１９１、１９２から受信した信号と、を重畳し、重畳した信号を、アンテナ１１４から、第１の基地局１５０に送信する。
【００４６】
第２の実施形態においては、端末モジュール１０２と監視センター１６０との間で送受信される信号と、無線中継装置２０３から送受信される信号と、を重畳してアンテナ１１４から送受信することで、各種構成の共有化を実現できる。これにより、省スペース化と、施工費の削減とを実現できる。
【００４７】
（第３の実施形態）
第１の実施形態は、分配器１０４が、アンテナ１１４から受信した信号を、端末モジュール１０２と無線中継通信部１０３とに分ける例について説明した。しかしながら、このような構成で信号を分ける手法に制限するものではない。
【００４８】
図３は、第３の実施形態の通信システムの一例を示す模式図である。図３に示されるように、本実施形態の通信システムは、第１の実施形態の監視制御装置１００と構成が異なる監視制御装置３００が設けられている例とする。なお、第１の実施形態及び第１の実施形態の変形例と同様の構成については、同一の符号を割り当て、説明を省略する。
【００４９】
監視制御装置３００は、通信Ｉ／Ｆ１０１と、端末モジュール１０２と、分配器３０１と、無線中継通信部３０２と、を備えている。
【００５０】
無線中継通信部３０２は、アンテナ１１４から入力された信号の電力増幅し、分配器３０１に送信する。
【００５１】
分配器３０１は、無線中継通信部３０２から入力された信号を、端末モジュール１０２及びアンテナ１１２の２つに分けて出力する。
【００５２】
また、分配器３０１は、移動体通信網１８０を介して通信を行う携帯通信端末と接続するためのアンテナ１１２を有する。つまり、分配器３０１は、ユーザ携帯通信端末向けの通信を行うための構成となる。
【００５３】
そして、分配器３０１は、端末モジュール１０２から出力された信号と、アンテナ１１２から受信した信号と、を重畳し、重畳した信号を、無線中継通信部３０２に出力する。
【００５４】
無線中継通信部３０２は、端末モジュール１０２から出力された信号と、アンテナ１１２から受信した信号と、を重畳した信号を分配器３０１から受信する。そして、無線中継通信部３０２は、受信した信号の電力増幅し、電力増幅した信号を、アンテナ１１４を介して、第１の基地局１５０に送信する。このように、本実施形態の無線中継通信部３０２は、基地局向けの通信を行うための構成とする。
【００５５】
無線中継通信部３０２に設けられた制御部３１１は、必要に応じて、端末モジュール１０２の通信を、ユーザ携帯通信端末１９１、１９２からの通信より優先する制御を行う。
【００５６】
本実施形態は、無線中継通信部３０２が再生中継方式の場合について説明する。再生中継方式の場合、無線中継通信部３０２は基地局としての機能を保持している。このため、端末モジュール１０２の通信状態が、所定の条件を満たした場合に、本実施形態の制御部３１１は、端末モジュール１０２への無線リソースを優先的に割り当てるための制御を行う。これにより、端末モジュール１０２の通信を優先させることができる。
【００５７】
なお、本実施形態は、再生中継方式の場合に制限するものではなく、非再生中継方式を用いても良い。このような場合、例えば、制御部３１１は、第１の基地局１５０に、端末モジュール１０２への無線リソースを優先的に割り当てるよう要求することが考えられる。
【００５８】
（第４の実施形態）
上述した実施形態及び変形例においては、分配器で信号を２つに分ける例について説明した。しかしながら、分配器を用いる手法に制限するものではない。
【００５９】
図４は、第４の実施形態の通信システムの一例を示す模式図である。図４に示されるように、本実施形態の通信システムは、第３の実施形態の監視制御装置３００と構成が異なる監視制御装置４００が設けられている例とする。なお、第３の実施形態と同様の構成については、同一の符号を割り当て、説明を省略する。
【００６０】
監視制御装置４００は、通信Ｉ／Ｆ１０１と、端末モジュール４０１と、リレー基地局４０２と、を備えている。
【００６１】
端末モジュール４０１は、制御部４１１を備え、第１の基地局１５０と通信を行うためのアンテナ１１４を有する。
【００６２】
端末モジュール４０１は、通信Ｉ／Ｆ１０１からエレベータに関する情報を受け取る。端末モジュール４０１は、通信Ｉ／Ｆ１０１を介して受け取った情報から、監視センター１６０宛てのエレベータに関する情報を生成する。端末モジュール４０１は、エレベータに関する情報を符号化及び変調する。
【００６３】
一方、端末モジュール４０１は、リレー基地局４０２から情報を受け取った後、当該情報を復号する。そして、端末モジュール４０１は、復号した、リレー基地局４０２からの情報を、符号化及び変調する。そして、端末モジュール４０１は、変調されたエレベータに関する情報と、変調されたリレー基地局４０２からの情報と、を重畳し、アンテナ１１４から第１の基地局１５０に送信する制御を行う。
【００６４】
つまり、本実施形態の端末モジュール４０１は、監視対象に関する情報を監視センター１６０宛てに出力する通信モジュールとしての機能の他に、重畳した信号を基地局に送信する通信部としての機能を有する。
【００６５】
また、端末モジュール４０１は、リレー基地局４０２から受け取った信号を復号し、再符号化し、及び変調した後、アンテナ１１４から第１の基地局１５０に送信する制御を行う。このように、本実施形態の端末モジュール４０１は、基地局向けの通信を行うための構成とする。
【００６６】
また、端末モジュール４０１は、アンテナ１１４を介して第１の基地局１５０から受け取った信号を復号化し、当該信号に含まれている制御情報を参照し、端末モジュール４０１宛ての情報であるか否かを判定する。端末モジュール４０１宛ての情報は、端末モジュール４０１で保持され、必要に応じて、通信Ｉ／Ｆ１０１を介して、制御装置５０に出力される。一方、端末モジュール４０１は、端末モジュール４０１宛ての情報ではないと判定した場合、ユーザデータとしてリレー基地局４０２に出力する。
【００６７】
リレー基地局４０２は、端末モジュール４０１から、ユーザデータを受信した場合に、再符号化し、変調して、アンテナ１１２から送信する。このように、本実施形態のリレー基地局４０２は、ユーザ携帯通信端末向けの通信を行うための構成となる。
【００６８】
また、リレー基地局４０２は、アンテナ１１２を介して、ユーザ携帯通信端末１９１、１９２から受信した信号を復調し、復号した後、ユーザデータとして端末モジュール４０１に受け渡す。
【００６９】
また、端末モジュール６０１の制御部４１１は、所定の条件を満たした場合に、エレベータに関する各種情報を、リレー基地局４０２から受け取ったユーザデータより、優先的に、符号化し、変調して、第１の基地局１５０に送信するよう制御する。所定の条件は、上述した実施形態と同様として、説明を省略する。
【００７０】
上述した第３の実施形態及び第４の実施形態は、監視制御装置の場合について説明したが、第２の実施形態と同様に複数の装置で構成された監視制御システムとして実現しても良い。
【００７１】
上述した実施形態及び変形例においては、ビルの設備として設けられている監視制御装置と、無線中継通信を行うための構成と、が、第１の基地局１５０まで送信するための構成を共有することで、スペースの有効活用と、施工費の削減とを実現できる。
【００７２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７３】
５０…制御装置、１００，３００，４００…監視制御装置、１０１…通信Ｉ／Ｆ、１０２（通信モジュール）…端末モジュール、１０３…無線中継通信部（第１の通信部）、１０４，２０１…分配器（第２の通信部）、１１１，３１１，４１１……制御部、１１２…アンテナ、１１３…接続線、１１４…アンテナ、１５０…第１の基地局、１５１…第２の基地局、１６０…監視センター、１８０…移動体通信網、１９１，１９２，１９３…ユーザ携帯通信端末、２００…監視制御システム、２０２…監視制御装置、２０３…無線中継装置（第１の通信部）、３０１…分配器（第１の通信部）、３０２…無線中継通信部（第２の通信部）、４０１…端末モジュール（第２の通信部、通信モジュール）、４０２…リレー基地局（第１の通信部）。
【図１】
2018113502.tif 000003
【図２】
2018113502.tif 000004
【図３】
2018113502.tif 000005
【図４】
2018113502.tif 000006